(57)【要約】【課題】  電気基板に表面実装されたコネクタジャックの静圧強度を向上し、コネクタジャックに静圧負荷がかかった時、電気基板にかかる負荷を軽減するコネクタジャック保持構造を提供することである。【解決手段】  電気基板に表面実装されたコネクタジャックと、前記電気基板を保持する保持部材と、前記コネクタジャックの補強部材を有し、前記補強部材は、前記電気基板の前記コネクタジャックが実装された面と反対面に当接する第１の腕部と、前記コネクタジャックの筒部材）に接触する腕部と、前記電気基板を保持する前記金属部材に当接する第３の腕部を有することを特徴とする構成とした。【選択図】  図６
2012146594.tif 000002
【特許請求の範囲】
【請求項１】
電気基板（９）に表面実装されたコネクタジャック（１０ａ）と、
前記電気基板を保持する保持部材（８）と、
前記コネクタジャックの補強部材（１５）を有し、
前記補強部材は、前記電気基板の前記コネクタジャックが実装された面と反対面に当接する第１の腕部（１５ｃ）と、前記コネクタジャックの筒部材（１０ａ１）に接触する腕部（１５ｅ１）と、前記電気基板を保持する前記金属部材に当接する第３の腕部（１５ｆ）を有することを特徴とする電子機器。
【請求項２】
前記保持部材は、導電部材であり、電池のグランドに電気的に接続されていることを特徴とする請求項１に記載の電子機器。
【発明の詳細な説明】
【技術分野】
【０００１】
本発明は、コネクタジャックを有する電子機器に関し、特に電気基板に表面実装されたコネクタジャックを補強する構造に関する。
【背景技術】
【０００２】
従来、コネクタジャックを電気基板に取り付ける方法として、コネクタジャックを電気基板の表面に半田付けする方法が採用されている。しかし、この取付方法は電気基板のパターンの強度に依存し、プラグの抜き差しの繰り返しやコジリによって電気基板から外れやすいという問題がある。特に、デジタルカメラなどの携帯型の電子機器に使用されているコネクタジャックは半田付けの面積が小さく、耐久性に問題があった。
【０００３】
そこで、電気基板に表面実装されたコネクタジャックを補強する提案がされている。
【０００４】
例えば、特許文献１では、コネクタジャックの取付構造において、コネクタジャックとは別部材の補強部材を備え、補強部材はコネクタジャックの外周を覆い、電気基板に固定されているものが開示されている。
【先行技術文献】
【特許文献】
【０００５】
【特許文献１】特許第４１１４１９５号明細書
【発明の概要】
【発明が解決しようとする課題】
【０００６】
特許文献１に開示された従来技術では、コネクタジャックの補強部材をコの字形状にしてネジ止め等で電気基板に固定していた。したがって、コネクタジャックに対しプラグの抜き差しの繰り返しやコジリによって静圧負荷がかかったとき、電気基板にも負荷がかかってしまっていた。
【０００７】
そこで本発明の目的は、コネクタジャックの静圧強度を向上しつつ、電気基板に実装されたコネクタジャックに静圧負荷がかかった時、電気基板にかかる負荷を軽減するコネクタジャック保持構造を有する電子機器を提供することである。
【課題を解決するための手段】
【０００８】
上記目的を達成するために、本発明に係る電子機器は、電気基板に表面実装されたコネクタジャックと、前記電気基板を保持する保持部材と、前記コネクタジャックの補強部材を有し、前記補強部材は、前記電気基板の前記コネクタジャックが実装された面と反対面に当接する第１の腕部と、前記コネクタジャックの筒部材に接触する腕部と、前記電気基板を保持する前記金属部材に当接する第３の腕部を有することを特徴とする。
【発明の効果】
【０００９】
本発明によれば、コネクタジャックを有する電子機器において、コネクタジャックの半田付け部を補強し、プラグの抜き差しやコジリに対する耐久性を向上させることができる。したがって、コネクタジャックに静圧負荷がかかった時、コネクタジャックが実装されている電気基板への負荷を軽減させることが可能となる。
【図面の簡単な説明】
【００１０】
【図１】本発明の実施形態を示したデジタルカメラの斜視図である。
【図２】本発明の実施形態を示したデジタルカメラの背面カバーユニット取り付け構成である。
【図３】本発明の実施形態を示した外部インターフェース端子の取り付け構成の分解斜視図である。
【図４】本発明の実施形態を示した電気回路基板の要部拡大斜視図である。
【図５】本発明の実施形態を示した補強部材の斜視図である。
【図６】本発明の実施形態を示した補強部材が取り付けられた状態を示す側面図である。
【発明を実施するための形態】
【００１１】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１２】
［実施例］
図１から図６を用いて、本発明の表示装置を搭載する電子機器の一実施形態であるデジタルカメラを説明する。
【００１３】
図１（ａ）は本実施例のデジタルカメラを前方（被写体側）から見た斜視図である。図１（ｂ）は本実施例のデジタルカメラを後方（撮影者側）底面方向から見た斜視図である。図１（ｃ）は本実施例のデジタルカメラの表示装置を開いた状態を後方（撮影者側）から見た斜視図である。
【００１４】
図１（ａ）から図１（ｃ）において、１はデジタルカメラ本体であり、２は撮影画像等を確認可能な表示装置ユニットである。表示装置ユニット２は、例えば３．０インチ程度のＴＦＴ液晶パネルなどから構成されている。ここで、表示装置ユニット２は、撮影画像等が表示される表示面２ａと背面２ｂを有している。また、表示装置ユニット２は、撮影時ビューファインダーとしても利用可能となっている。
【００１５】
３はヒンジ機構であり、ヒンジ機構３は後述する背面カバー４０と一体化されており、表示装置ユニット２はヒンジ機構３により回転し、デジタルカメラ本体１に対して開閉可能に結合されている。ヒンジ機構３の第１の回転中心軸Ａにより回転し、表示装置ユニット２が開いている状態で、さらにヒンジ機構３の第２の回転中心軸Ｂにより回転をさせることで、撮影者はより自由なアングルにて撮影を行うことができる。
【００１６】
図２は、デジタルカメラ１の分解斜視図である。
【００１７】
図２において、４は背面カバーユニット、５はサイドカバーであり、背面カバーユニット４はビス１３、サイドカバー５はビス１４によってデジタルカメラ本体１に取り付けられる。サイドカバー５は樹脂で成形されている。
【００１８】
６は端子カバー、９は電気回路基板、１０は外部インターフェース端子部、１１は周辺機器用端子部である。端子カバー６は弾力性のあるエラストマー部材で形成され、サイドカバー５に圧入され、外部インターフェース端子部１０、周辺機器用端子部１１を保護している。外部インターフェース端子部１０は、カメラを外部機器と接続するための端子部であり、電気回路基板９に実装されている。本実施例では、ＵＳＢ  ＭｉＮｉ−ＢおよびＨＤＭＩ  ＴｙｐｅＣ端子のコネクタジャックである。周辺機器用端子部１１は、カメラの周辺機器を接続するための端子部であり、不図示の電気回路基板に実装されている。本実施例では、マイクおよびリモートコントローラー用の端子のコネクタジャックである。
【００１９】
７は外装ラバーであり、外装ラバー７は弾力性のあるエラストマー部材で成形されており、端子カバー６と一体的に意匠性を高めつつ、撮影時の滑り止めの役割を持つ。８はシャーシであり、シャーシ８は金属で成形されており、デジタルカメラ本体１の骨格の一部をなしている。シャーシ８は不図示の電池のグランドに接続されている。１２はフレキコネクタであり、シャーシ８に固定された電気回路基板９上に実装されている。背面カバーユニット４は不図示のフレキシブル電気回路基板によってフレキコネクタ１２に電気的に接続される。
【００２０】
１５は電気回路基板９とともにシャーシ８に固定され、コネクタジャックを補強する補強部材である。
【００２１】
図３は、外部インターフェース端子１０の取り付け構成の分解斜視図である。
【００２２】
図３に示すように、外部インターフェース端子部１０のうち１０ａはＵＳＢ  ＭｉＮｉ−Ｂであり、１０ｂはＨＤＭＩ  ＴｙｐｅＣ端子のコネクタジャックである。
【００２３】
補強部材１５を取り付ける場合には、まず、補強部材１５の孔部１５ａと１５ｂをＵＳＢ  ＭｉＮｉ−Ｂ端子１０ａおよびＨＤＭＩ  ＴｙｐｅＣ端子１０ｂの筒部材に係合させ、その後、電気回路基板９とともシャーシ８に腕部１５ｃの孔部をネジ止めする。
【００２４】
図４（ａ）は、図３の電気回路基板９の要部斜視図である。図４（ｂ）は、図４（ａ）を正面から見た電気回路基板９の要部斜視図である。
【００２５】
図４（ａ）と図４（ｂ）に示すように、電気回路基板９には、ＵＳＢ  ＭｉＮｉ−Ｂ端子１０ａおよびＨＤＭＩ  ＴｙｐｅＣ端子１０ｂが実装されている。
【００２６】
ＨＤＭＩ  ＴｙｐｅＣ端子１０ｂは、ＨＤＭＩプラグが挿入される角型の筒部材１０ｂ１を有しており、筒部材１０ｂ１の底面が電気回路基板９上に載置され、電気回路基板９の信号線等のパターン上に半田付けされることによって表面実装されている。また、筒部材１０ｂ１には補強のため４つの脚部１０ｂ２が形成されており、電気回路基板９のスルーホールに挿入され、半田付けされている。したがって、ＨＤＭＩ  ＴｙｐｅＣ端子１０ｂは、プラグの抜き差しやコジリに対して比較的耐久性の高い固定がなされている。
【００２７】
また、ＵＳＢ  ＭｉＮｉ−Ｂ端子１０ａは、ＵＳＢプラグが挿入される角形の筒部材１０ａ１を有しており、筒部材１０ａ１の一部が電気回路基板９の切り欠きに嵌まるように載置されている。そして、ＵＳＢ  ＭｉＮｉ−Ｂ端子１０ａは、電気回路基板９の信号線等のパターン上に半田付けされることによって表面実装されている。ここで、ＵＳＢ  ＭｉＮｉ−Ｂ端子１０ａは、ＨＤＭＩ  ＴｙｐｅＣ端子１０ｂよりも背の高い部品であるため、電気回路基板９を切り欠いて載置されており、電気回路基板９で支えられることがない。また、筒部材１０ａ１に補強のため形成された４つの脚部１０ａ２の内２つが、電気回路基板９のスルーホールに挿入され、他の２つが電気回路基板９のランドに半田付けされており、ＨＤＭＩ  ＴｙｐｅＣ端子１０ｂよりも弱い固定となっている。したがって、ＵＳＢ  ＭｉＮｉ−Ｂ端子１０ａは、パターンの半田強度に依存し、プラグの抜き差しの繰り返しやコジリによって電気回路基板９から外れる可能性がある。
【００２８】
図５（ａ）と図５（ｂ）は、ＵＳＢ  ＭｉＮｉ−Ｂ端子１０ａおよびＨＤＭＩ  ＴｙｐｅＣ端子１０ｂのコネクタジャックを補強するための補強部材１５の斜視図である。
【００２９】
図５（ａ）と図５（ｂ）に示すように、補強部材１５は、金属部材によって電気回路基板９に実装されたＵＳＢ  ＭｉＮｉ−Ｂ端子１０ａおよびＨＤＭＩ  ＴｙｐｅＣ端子１０ｂの筒部材１０ａ１と１０ｂ１の上面及び下面を覆うようにコの字形状が形成されている。また、外部インターフェース端子部１０の角型の筒部材１０ａ１と１０ｂ１に係合する孔部１５ａと１５ｂが形成されている。また、電気回路基板９とともにシャーシ８に固定するための孔部を有する腕部１５ｃ及びサイドカバー５とともに固定するための孔部を有する腕部１５ｄが形成されている。また、補強部材１５は筒部材１０ａ１と１０ｂ１の上面部に接触する腕部１５ｅ１と１５ｅ２が形成されている。さらに、筒部材１０ａ１の上面部に接触した腕部１５ｅ１から先にシャーシ８に当接する腕部１５ｆが形成されている。
【００３０】
図６（ａ）は補強部材１５が取り付けられた状態を示す側面図である。図６（ｂ）は図６（ａ）の断面線Ｃ−Ｃにおける断面図である。
【００３１】
図６（ａ）と図６（ｂ）に示すように、補強部材１５はＨＤＭＩ  ＴｙｐｅＣ端子１０ｂの筒部材１０ｂ１の上面に腕部１５ｅ２が接触し、シャーシ８と電気的に接続されるとともにＨＤＭＩ  ＴｙｐｅＣ端子１０ｂが電気回路基板９から外れるのを防いでいる。
【００３２】
また、補強部材１５はＵＳＢ  ＭｉＮｉ−Ｂ端子１０ａの筒部材１０ａ１上面に腕部１５ｅ１が接触し、シャーシ８と電気的に接続される。さらに腕部１５ｆがシャーシ８に当接することによりＵＳＢ  ＭｉＮｉ−Ｂ端子１０ａの取付強度が補強される。
【００３３】
したがって、外部インターフェース端子部１０のコネクタジャックの半田付け部を補強し、プラグの抜き差しやコジリに対する耐久性を向上させることができる。
【００３４】
また、補強部材１５は電気回路基板９とともにシャーシ８に腕部１５ｃが固定されており、外部インターフェース端子部１０のコネクタジャックに静圧負荷がかかった時、コネクタジャックが実装されている電気回路基板９への負荷を軽減させている。
【００３５】
以上、本発明の好ましい実施形態について説明したが、本発明はこれらの実施形態に限定されず、その要旨の範囲内で種々の変形及び変更が可能である。また、本発明は、デジタルビデオカメラ、ＰＤＡ、ポケットＴＶ、携帯型のＰＣ、携帯電話等に適用してもよい。
【符号の説明】
【００３６】
１  デジタルカメラ本体
２  表示装置ユニット
３  ヒンジ機構
４  背面カバーユニット
５  サイドカバー
６  端子カバー
７  外装ラバー
８  シャーシ
９  電気回路基板
１０  外部インターフェース端子部
１５  補強部材
【図１】
2012146594.tif 000003
【図２】
2012146594.tif 000004
【図３】
2012146594.tif 000005
【図４】
2012146594.tif 000006
【図５】
2012146594.tif 000007
【図６】
2012146594.tif 000008